(57)【要約】【課題】衣服を着用したまま容易に、手早く授乳できる授乳服を提供すること。【解決手段】胸部付近まで開口する襟刳り部１３を有する授乳服本体１１と、胸部付近を隠すように授乳服本体１１内側に配置する乳口覆い部１２とを有し、授乳口覆い部１２の授乳服本体１１の両脇側の上側両端固定部１４ａ、１４ｂと襟刳り部１３の下側で授乳服本体１１の中央領域の下端固定部１５とを繋ぐ縁部１２ａ、１２ｂは授乳服本体１１の襟刳り部１３の形状と略沿うようにされている授乳服１０。【選択図】図１
2008214776.tif 000002
【特許請求の範囲】
【請求項１】
授乳を行う使用者が着用する伸縮性を有する授乳服であって、
着用時に前記使用者の身体上部に配置され、前記使用者の胸部付近まで開口するようにした襟刳り部を有する授乳服本体と、
前記授乳服本体の内側であって、前記襟刳り部から一部を露出するようにして前記使用者の胸部付近を隠す授乳口覆い部と、
を備え、
前記授乳口覆い部は、前記授乳服本体の前記襟刳り部より両脇側に固定される上側両端固定部と、前記襟刳り部の下側であって、前記使用者の前面を左右に二分する仮想の中心線を含む中央領域に固定される下端固定部と、を有しており、
前記上側両端固定部と前記下端固定部を繋ぐ縁部は前記使用者の乳房に対応する領域が、前記襟刳り部の形状と略沿うように形成されていること
を特徴とする授乳服。
【請求項２】
前記授乳服本体は、前記使用者の前記身体側に配置される内側の層と、その内側の層より外側に配置される外側の層とから構成され、前記中央領域で前記内側の層の一部と前記外側の層の一部とが重ね合わせられるように配置されるカシュクール状とされており、
前記下端固定部は、前記仮想の前記中心線から左右のいずれか一方側に偏位するように前記内側の層に固定されていることを特徴とする請求項１に記載の授乳服。
【発明の詳細な説明】
【技術分野】
【０００１】
本発明は、衣服を着用したまま授乳できる授乳服に関するものである。
【背景技術】
【０００２】
従来より、乳幼児に対し授乳する際に、衣服を着用したまま授乳できるような授乳服の提案がなされている。このような授乳服は、衣服を着用したまま、乳房が出し易く、かつ、露出を少なくなくできるように、目隠し機能のあるものが提案されている。
また、近年では、通常の衣服のデザイン等に近いような授乳服の提案もなされている。
【０００３】
例えば、乳房の全体を含む領域である胸部を覆う比較的大きい覆い布と、その覆い布の下にカシュクール状とした布を設けた授乳服の提案がなされている（例えば、特許文献１、図２参照）。また、襟刳りの開口部が乳房位置まで達するような授乳服の本体と、その本体の内部に配置される比較的長くて大きい内側前身頃を有しており、授乳時にはその内側前身頃を授乳服本体の前に引き出して、授乳服本体の開口部から出された乳房を比較的長く大きい内側前身頃で隠して授乳できる授乳服が提案されている（例えば、特許文献２、図３及び図４参照）。
【０００４】
授乳を行う母親は、乳房の保護や保形、あるいは母乳漏れを防止するための母乳パッドを装着するため、通常、ブラジャーを着用している。
従って、従来の授乳服の場合は、授乳に際して、授乳服を着用したまま、乳房を露出させるには以下の手順が必要であり、時間を要するものであった。
つまり、例えば、特許文献１の授乳服の場合は、先ず、乳房を含む領域である胸部を覆うように比較的大きく設けられている覆い布をめくる。そして、その状態で覆い布の内側に配置されるカシュクール状の布である衣服の襟刳り部を開いてブラジャーを装着している胸部を露出する。そして、その状態でブラジャーをめくる。従って、片手で比較的大きく設けられている覆い布や衣服及びブラジャーのカップを抑えつつ、乳幼児をもう一方の手で抱え、授乳する必要がある。
また、特許文献２の授乳服の場合は、授乳服本体の内部に配置される比較的長く大きい内側前身頃を有しており、このような授乳服の場合は、授乳時に本体の前側に比較的長く大きい内側前身頃を引き出して、授乳服本体の開口部から出された乳房をこの内側前身頃で隠して授乳するものである。このため、何れの授乳服も着用したまま授乳はできるが、手軽に素早く授乳することが困難であった。
【０００５】
一方、前身頃の裏側に、前方の肩部分と乳房の下部分であるアンダーバストの位置の部分とで比較的長く大きい内側前身頃を固定するようにしている授乳服の提案もなされている（例えば、特許文献３、図１参照）。
【特許文献１】特開２００４―１３１８６８号公報（図２参照）
【特許文献２】特許第３６９４６９４号公報（図３、図４参照）
【特許文献３】実用新案登録第３１１０８１１号公報（図１参照）
【発明の開示】
【発明が解決しようとする課題】
【０００６】
しかしながら、この授乳服の場合も、内側前身頃が前方の肩部分とアンダーバストの部分とで固定され、かつ、内側前身頃が比較的長く大きい略長方形形状をしているものであるため、襟刳りとの距離が離れてしまい、授乳に際し、着用しているブラジャーのカップの開閉が困難であるという問題がある。そして、襟刳りやカップを抑えながら授乳する必要もあり、面倒であるとの問題がある。
【０００７】
そこで、本発明は、衣服を着用したまま容易に、手早く授乳できる授乳服を提供することを目的とする。
【課題を解決するための手段】
【０００８】
すなわち、上記課題を解決するため、請求項１の発明によれば、授乳を行う使用者が着用する伸縮性を有する授乳服であって、着用時に前記使用者の身体上部に配置され、前記使用者の胸部付近まで開口するようにした襟刳り部を有する授乳服本体と、前記授乳服本体の内側であって、前記襟刳り部から一部を露出するようにして前記使用者の胸部付近を隠す授乳口覆い部と、を備え、前記授乳口覆い部は、前記授乳服本体の前記襟刳り部より両脇側に固定される上側両端固定部と、前記襟刳り部の下側であって、前記使用者の前面を左右に二分する仮想の中心線を含む中央領域に固定される下端固定部と、を有しており、前記上側両端固定部と前記下端固定部を繋ぐ縁部は前記使用者の乳房に対応する領域が、前記襟刳り部の形状と略沿うように形成されていることを特徴とする授乳服により達成される。
【０００９】
請求項１の構成によれば、授乳服は、伸縮性を有し、着用時に使用者の身体上部に配置され、胸部付近まで開口する襟刳り部を有する授乳服本体と、授乳服本体の内側に配置される授乳口覆い部とを有している。そして、授乳口覆い部は、襟刳り部から一部を露出するようにして、使用者の胸部付近を隠すようにされている。そして、授乳口覆い部は、上側両端が授乳服本体の襟刳り部より両脇側に固定される上側両端固定部と、下側が使用者の前面を左右に二分する仮想の中心線を含む中央領域に固定される下端固定部とを有している。そして、この上側両端固定部と下端固定部とを繋ぐ縁部は使用者の乳房に対応する領域が襟刳り部の形状と略沿うように形成されている。
【００１０】
従って、授乳する際に、使用者は授乳服本体の襟刳り部を広げて容易に胸部の露出ができるので、胸部に配置されているブラジャーや乳房等の露出も容易となる。また、上側両端固定部と下端固定部とを繋ぐ縁部は使用者の乳房に対応する領域が襟刳り部に沿うように形成されており、ブラジャーのカップ形状に沿うようにされているので、カップの上部で開閉可能な所謂授乳用ブラジャーなどのカップの開閉が容易であり、手早くカップを開いて乳房を露出でき、授乳が素早く行えることとなる。
また、授乳口覆い部は襟刳り部から露出するように上側両端固定部を両脇の付近で固定され、使用者の胸部付近を隠すようにしているので、授乳時以外においても、ブラジャー等のカップ上部の開閉部分や、カップ自体を隠すことができるため、外観上も違和感無く、通常の衣服と同様に見せることも可能となる。
そして、襟刳り部と授乳口覆い部は、伸縮性を有する材料で形成されているので、使用者が、授乳に際し、ブラジャー等の露出が容易となる。
【００１１】
請求項２の発明は、請求項１の発明の構成において、前記授乳服本体は、前記使用者の前記身体側に配置される内側の層と、その内側の層より外側に配置される外側の層とから構成され、前記中央領域で前記内側の層の一部と前記外側の層の一部とが重ね合わせられるように配置されるカシュクール状とされており、前記下端固定部は、前記仮想の前記中心線から左右のいずれか一方側に偏位するように前記内側の層に固定されていることを特徴とする。
【００１２】
請求項２の構成によれば、授乳服本体は、身体側に配置される内側の層と、その内側の層より外側に配置される外側の層とから構成され、中央領域で内側の層と外側の層との一部が重ね合わせられるように配置されるカシュクール状とされる。そして、授乳口覆い部の下端固定部は、内側の層に配置されている。さらに、下端固定部は、仮想の中心線の左右のいずれか一方側に偏位するように配置されている。
そのため、左前身頃と右前身頃のうちで外側に配置された前身頃は、開閉しやすくなっており、逆に内側に配置されている前身頃は開閉しづらくなっていることを解消できるようになっている。つまり、下端固定部が、仮想の中心線の左右のいずれか一方側に偏位するように内側の層でして固定されているため、左右の開閉のし易さが偏らない。従って、両方の前身頃で容易にブラジャーの露出ができ、カップの開閉が行える。
【００１３】
しかも、通常、開閉し易い方の外側の層は、動きに伴って、ブラジャー等が露出されやすいが、下端固定部が、内側の層に配置されているので動きに伴う露出は低減される。
【発明の効果】
【００１４】
本発明の授乳服によれば、授乳の際には、ブラジャーを手早く外して、乳房を露出でき簡単に授乳することができ、また、授乳時以外では、通常の衣服と変わらない外観を提供することができる。
【発明を実施するための最良の形態】
【００１５】
以下、本発明の好適な実施例を添付図面に基づいて詳細に説明する。尚、以下に述べる実施例は本発明の好適な具体例であるから、技術的に好ましい種々の限定が付されているが、本発明の範囲は、以下の説明において特に本発明を限定する旨の記載がない限りこれらに限られるものではない。
【００１６】
（第１の実施形態）
図１乃至図３は、本発明の第１の実施形態に係る授乳服１０の好ましい実施の形態を示す概略図である。図１は、授乳服１０の概略正面図を示しており、図２は、授乳服１０の授乳口覆い部１２を示す概略正面図であり、図３は、授乳服１０の使用態様を説明するための概略説明図となっている。
授乳服１０は、使用者の身体の上位に着用される授乳服本体１１と、授乳服本体１１を着用した際に、授乳服本体１１の内側であって、着用している使用者の胸部付近を隠すように乳房を含む胸部領域に配置される授乳口覆い部１２とからなっている。
【００１７】
図１の概略正面図は、使用者が授乳服１０を着用した際に、身体の前面側に配置されるようになっている側を正面側として図示している。
授乳服本体１１の襟刳り部１３は、右肩及び左肩から使用者の前面を左右に二分する仮想の中心線である仮想中心線ＣＬに向かって伸びるように形成されており、この仮想中心線ＣＬの部分で、突合せ部１３ｃが形成されるようになっている。この突合せ部１３ｃは、使用者が着用した状態において、使用者の左右の乳房の間の領域に位置するようになっている。そして、襟刳り部１３は、使用者の胸部付近まで開口されて露出できるようになっている。つまり、乳房付近まで開口されるようになっている。
【００１８】
また、この授乳服本体１１は、その正面側は、襟刳り部１３の突合せ部１３ｃから裾までであって、仮想中心線ＣＬを含む領域である中央領域において、前身頃を重ねるように配置されている。
つまり、授乳服１０の授乳服本体１１の前身頃は、右前身頃１６と左前身頃１７を有しており、右前身頃１６と左前身頃１７は突合せ部１３ｃで交差させて、中央領域で重ねあわせられている。
【００１９】
ここで、右前身頃１６は、右肩から突合せ部１３ｃに向かって伸びる右襟刳り端部１３ａと、この右襟刳り端部１３ａの延長線上であって、この突合せ部１３ｃから左脇下側の乳房の下付近に向かって伸びる右前身頃合わせ端部１６ａとを有する。
そして、左前身頃１７は、左肩から突合せ部１３ｃに向かって伸びる左襟刳り端部１３ｂと、この左襟刳り端部１３ｂの延長線上であって、この突合せ部１３ｃから右脇下側の乳房の下付近に向かって伸びる左前身頃合わせ端部１７ｂとを有する。
以上のような右前身頃１６と左前身頃１７とが、襟刳り部１３の突合せ部１３ｃから裾までであって、仮想中心線ＣＬを含む中央領域において重なるようにされている。ここで、右前身頃１６及び左前身頃１７は、使用者が着用した際に、使用者の身体の前面に配置され、着用した使用者の右及び左と一致する方向となっている。
【００２０】
つまり、右前身頃１６は外側の層となっており、そして、左前身頃１７が内側の層となっている。そして、この授乳服本体１１の前身頃は、所謂カシュクール状とされている。
そして、この授乳服本体１１の少なくとも襟刳り部１３は、伸縮性を有する材料で形成されている。伸縮性を有する材料としては、例えば、綿素材・ポリウレタン混のベア天竺等のニット等である。
従って、授乳する際に、使用者は、この襟刳り部１３を広げて、乳房の下側位置まで容易にずらすことができるようになっている。
【００２１】
また、この授乳服本体１１の内側である使用者の身体側には、授乳口覆い部１２が設けられている。この授乳口覆い部１２は、襟刳り部１３からその一部が露出されるようになっている。そして、この授乳口覆い部１２は、使用者の胸部付近を隠すようにされている。つまり、授乳口覆い部１２は、正面側からみると、襟刳り部１３の突合せ部分１３ｂを頂点する略逆三角形上に露出される部分を有する。
そして、授乳口覆い部１２は、授乳服本体１１と３箇所で固定されている。つまり、授乳口覆い部１２は、授乳服本体１１の両脇部分の付近で固定する上側両端固定部である右上側固定部１４ａと左上側固定部１４ｂとを有する。
【００２２】
この右上側固定部１４ａと左上側固定部１４ｂの固定位置は、授乳服本体１１の内側であって、正面側からは、その固定位置は見えないようになっている。つまり、右上側固定部１４ａは、襟刳り部１３の右側襟刳り部１３ａよりも右脇近傍の位置に設けられており、左上側固定部１４ｂは、襟刳り部１３の左側襟刳り部１３ｂよりも左脇近傍の位置に設けられている。そして、右上側固定部１４ａと左上側固定部１４ｂの固定位置は、授乳服本体１１での仮想中心線ＣＬを中心として、左右対称の位置となるようにされている。
そして、授乳口覆い布１２は、この右上側固定部１４ａと左上側固定部１４ｂとが設けられている端部を繋ぐような直線上の上縁部１２ｃを有している。そして、この上縁部１２ｃのほぼ中央領域の一部が、先に説明したように、襟刳り部１３から露出されるようになっており、使用者の胸部付近を隠すようにされている。
【００２３】
また、この授乳口覆い部１２は、授乳服本体１１の前身頃の仮想中心線ＣＬから少しずれた位置であって、突合せ部１３ｃより下側の位置であって、授乳服本体１１の内側で固定される下端固定部である下側固定部１５を有している。
そして、授乳服本体１１は、上述したように、仮想中心線ＣＬを含む中央領域において、右前身頃１６と左前身頃１７とが重なるようになっており、使用者の身体側である下側の層は左前身頃１７とされている。従って、この授乳口覆い部１２の下側固定部１５は、授乳服本体１１の前身頃であって、下側の層である左前身頃１７と固定されるようになっている。
また、この下側固定部１５は、仮想中心線ＣＬより偏位した位置に設けられている。つまり、この下側固定部１５は、授乳服本体１１の仮想中心線ＣＬから左前身頃１７の左前身頃合わせ端部１７ｂに寄った位置に設けられるようになっている。そして、この授乳口覆い部１２は、伸縮性のある材料で形成されており、例えば、襟刳り部１３と同様な材質が挙げられる。ここで、授乳口覆い部１２と襟刳り部１３は、同質の伸縮性のある材料で形成されていても良く、異なる伸縮性のある材料で形成されていてもよい。
【００２４】
そして、授乳口覆い部１２の外形形状は、例えば図２で示すように、上縁部１２ｃは直線状となっている。そして、その上縁部１２ｃの両端には、右上側固定部１４ａと左上側固定部１４ｂとを授乳服本体１１の両脇付近に設けられるようにするため、その外形形状は、授乳服本体１１のアームホールの形状に略沿うようになっている。従って、その授乳口覆い部１２の外形形状は、上縁部１２ｃの両端から下方向に少し伸びる略直線状とされている。そして、その後、授乳口覆い部１２の外形形状は、下側固定部１５に向かって斜め下方向に伸びるようにされる。つまり、授乳口覆い部１２は、右上側固定部１４ａが設けられている位置から仮想中心線ＣＬの近傍に向かって、斜め下に延びる右側授乳口縁部１２ａと、左上側固定部１４ｂが設けられている位置から仮想中心線ＣＬの近傍に向かって、斜め下に延びる左側授乳口縁部１２ｂとを有し、右側授乳口縁部１２ａと左側授乳口縁部１２ｂとの伸びた先に、下側固定部１５を設けている。そして、この右側授乳口縁部１２ａは、授乳口覆い部１２の内側に膨出するＲ形状となっている。つまり、右側授乳口縁部１２ａは、右上側固定部１４ｂの上縁部１２ｃと下の位置Ａ１と下側固定部１５の仮想中心線ＣＬから右上側固定部１４ｂ側にずれた位置Ａ２である右側授乳口縁部１２ａの下側固定部１５と交わる端部Ａ２とを結ぶ仮想線Ａ１−Ａ２を仮定すると、この仮想線Ａ１−Ａ２より内側に湾曲されており、仮想中心線ＣＬや上縁部１２ｃよりに膨出するＲ形状とされている。つまり、これは、右側授乳口縁部１２ａは、使用者の右の乳房の形状または授乳用ブラジャー１８のカップ部１８ｂの形状に沿うようにされている。
【００２５】
また、図２で示すように、授乳口覆い部１２の左側授乳口縁部１２ｂは、左上側固定部１４ｂから下側固定部１５に向かって斜めに延びており、その左上側固定部１４ｂから伸びる際は、授乳口覆い部１２の内側に膨出するＲ形状とされた後、下側固定部１５の近傍の仮想中心線ＣＬに向かって、斜め直線状に伸びるようにされている。そして、この仮想中心線ＣＬと左側授乳口縁部１２ｂとが交差した点Ａ４から右側授乳口縁部１２ａの下側固定部１５と交わる点である下側固定部１５が仮想中心線ＣＬから右上側固定部１４ｂ側にずれた位置Ａ２とを繋ぐようにされている。
【００２６】
つまり、左側授乳口縁部１２ｂは、左上側固定部１４ｂの下側の位置Ａ３と下側固定部１５が仮想中心線ＣＬから右上側固定部１４ｂ側にずれた位置Ａ２を結ぶ仮想線Ａ２−Ａ３を仮定すると、次のようになっている。左側授乳口縁部１２ｂは、左上側固定部１４ｂの下側の位置Ａ３から伸びる際には、仮想線Ａ２−Ａ３の上側である上縁部１２ｃ側に膨出するように湾曲して伸びておりＲ形状とされている。そして、その後、左側授乳口縁部１２ｂは、仮想線Ａ２−Ａ３と交わる付近から仮想中心線ＣＬに位置する点Ａ４に向かって斜め右下方向に直線的に伸びるようになっている。
【００２７】
左側授乳口縁部１２ｂは、以上のような外形形状をもっている。
従って、左側授乳口縁部１２ｂは、左上側固定部１４ｂの下側の位置Ａ３から伸びるＲ形状とされている部分は使用者の左の乳房の形状または授乳用ブラジャー１８のカップ部１８ｂの形状に沿うようにされており、そして、その後の直線的に伸びる部分は、授乳服本体１１の左襟刳り部１３ｂと左前身頃合わせ端部１７ｂとの距離を一定とするように略沿うようにされている。
【００２８】
ここで、図１に戻って、更に、授乳口覆い部１２と襟刳り部１３との関係を説明する。
右側授乳口縁部１２ａは、上述したような形状となっており、右上側固定部１４ａの下側であって右脇下から仮想中心線ＣＬの近傍に設けられた下側固定部１５の位置に向かって、湾曲して伸びている。この右側授乳口縁部１２ａは、右襟刳り端部１３ａに沿うように徐々に近づき、襟刳り部１３の突合せ部１３ｃを超えた当たりから徐々に離間するように湾曲して設けられている。従って、右側授乳口縁部１２ａは、使用者の乳房の領域において、右襟刳り端部１３ａの形状に略沿うように形成されるようになっている。つまり、右側授乳口縁部１２ａは、右襟刳り端部１３ａ側に膨出するＲ形状とされている。これは、後述するように、使用者の乳房の形状ある授乳用ブラジャー１８のカップ部１８ｂの形状に沿うようになっている。
【００２９】
次に、左側授乳口縁部１２ｂは、上述したような形状となっており、左上側固定部１４ｂの下側であって左脇下から仮想中心線ＣＬの近傍に設けられた下側固定部１５の位置に向かって湾曲するように伸びた後、仮想中心線ＣＬに向かうように斜め下に直線的に延びている。つまり、左側授乳口縁部１２ｂは、左襟刳り端部１３ｂに沿うように徐々に近づくように湾曲して伸びた後、その左襟刳り端部１３ｂとの距離を変えないように仮想中心線ＣＬと交わるまで直線的に斜め下に伸びていき、仮想中心線ＣＬより少し右寄りに設けられた下側固定部１５とを繋ぐようになっている。つまり、左側授乳口縁部１２ｂは、使用者の乳房の領域において、左襟刳り端部１３ｂの形状に略沿うように形成されるようになっている。
これは、下側固定部１５を仮想中心線ＣＬから偏位した位置に設けることで、下側の層である左前身頃１７を開く際に、左上側固定部１４ｂと下側固定部１５との距離を確保して、授乳用ブラジャー１８や乳房を露出し易くするためである。
【００３０】
そして、この授乳口覆い部１２の下側固定部１５は、授乳服本体１１の仮想中心線ＣＬより、偏位した位置に設けられている。ここでは、下側の層である左前身頃１７に固定されており、その位置は、仮想中心線ＣＬから若干、右にずれた位置となっている。
これは、授乳服本体１１の前身頃が、その仮想中心線ＣＬの領域で重なるようなカシュクール状とされていることによる。
【００３１】
つまり、授乳服本体１１は以上のように構成されているので、外側の層である右前身頃１６は、その右襟刳り端部１３ａと右前身頃合わせ端部１６ａとを乳房の下側の位置までずらし易くなっており、開閉しやすくなっているが、その反面、使用者の動きに伴い、ブラジャー等が露出しやすいようにもなっている。
そして、授乳服本体１１は、内側の層である左前身頃１７が使用者の身体に沿うようにされている為、左側襟刳り端部１３ｂと左前身頃合わせ端部１７ｂとを乳房の下側に下げた際に、授乳口覆い部１２から乳房が露出し難くなる。つまり、これは授乳口覆い部１２の左上側固定部１４ｂと仮想中心線ＣＬで固定された下側固定部１５との距離が短くなるため、開閉しずらくなってしまうことによる。
【００３２】
従って、授乳口覆い部１２の下側固定部１５が、上述のように、授乳服本体１１の仮想中心線ＣＬから少し偏位した位置である右の乳房寄りであって、内側の層である左前身頃１７の左前身頃合わせ端部１７ｂの付近で固定されている。つまり、下側固定部１５は、仮想中心線ＣＬより、外側の層の襟刳り部１３が設けられている片側の領域に設けられている。その為、外側の層である右前身頃１６の開閉し易すくできる。また、さらに、使用者の動きに伴ってずれてブラジャー等が露出してしまうことを防止できる。また、それと共に、内側の層である左前身頃１７をずらした際に、授乳口覆い部１２からの乳房の露出は妨げないようになっている。
【００３３】
例えば、図３で示すように、この授乳服１０の使用状態を示して説明する。
通常、使用者は乳房を保護するためや母乳漏れを防ぐ母乳パッドを装着するために、所謂、授乳用ブラジャー１８を着用している。この授乳用ブラジャー１８は、授乳し易いように、カップ部１８ｂが開閉し易くなっている。例えば、授乳用ブラジャー１８は、カッブ部１８ｂの上部１８ａにフック等を設けて上部１８ａで開閉できるようになっていたり、または、左右のカップ部１８ｂの間にフック等を設けて左右で開閉できるようになっている。ここでは、上部１８ａにフック等を設けた授乳用ブラジャー１８を示して説明している。
この授乳服１０の授乳口覆い部１２の右側授乳口縁部１２ａは、上述したように、授乳口覆い部１２の内側に膨出するＲ形状となっており、授乳用ブラジャー１８のカップ部１８ｂに沿うようになっている。
従って、右前身頃１６の右襟刳り部１３ａと右前身頃合わせ端部１６ａとを引き下げた際に、右側授乳口縁部１２ａは、授乳用ブラジャー１８のカップ部１８ｂが露出しやすくなり、授乳口覆い部１２の上縁部１２ｃの上側に露出する授乳用ブラジャー１８の上部１８ａのフック等を容易に外すことができ、を授乳用ブラジャー１８のカップ部１８ｂの開閉が易くなっているため、容易に乳房を露出して、授乳することができるようになっている。
【００３４】
そして、左前身頃１７の左襟刳り部１３ｂと左前身頃合わせ端部１７ｂとを引き下げた際においては、上述したように、下側固定部１５が、仮想中心線ＣＬより偏位した位置であって、右の乳房側に寄った位置であって、内側の層である左前身頃１７に固定されているので、左上側固定部１４ｂと下側固定部１５との距離は、下側固定部１５を仮想中心線ＣＬ上の位置Ａ４に設けた場合と比較して長くすることができる。このため、左前身頃１７を開く際においても、授乳用ブラジャー１８や乳房を露出し易くすることができるようになっている。
【００３５】
そして、上述したように、授乳口覆い部１２は、襟刳り部１３からその一部が露出されており、襟刳り部１３の突合せ部分１３ｂを頂点する略逆三角形上に露出される部分を有する。そして、この突合せ部分１３ｂを頂点として、右襟刳り端部１３ａと左襟刳り端部１３ｂとで囲まれた領域の成す角Ｂが、授乳口覆い部１２の下側固体部１５を頂点とする右上側固定部１４ａと左上側固定部１４ｂとで囲まれる領域の成す角Ａとを比較すると、角Ａは角Ｂより大きくなっている。そして、角Ａは角Ｂより下側に配置されるようになっており、突合せ部１３ｃより下側の領域に位置されている。
このため、使用者の動きに伴う隙間はでき難く、授乳時には乳房を露出することが容易となっている。
【００３６】
また、授乳口覆い部１２の形状は、その変形例として、例えば、図４の形状とすることもできる。図４の授乳口覆い部１２２の形状と図２の授乳口覆い部１２の形状との違いは、左側授乳口縁部１２２ｂの形状の違いである。
図２の左側授乳口縁部１２ｂは、上述したように、左上側固定部１４ｂの下側であって左脇下から仮想中心線ＣＬの近傍に設けられた下側固定部１５の位置に向かって左襟刳り端部１３ｂ側に膨出するように湾曲して伸びた後、仮想中心線ＣＬに向かうように斜め下に直線的に延びていたのに対し、図４の左側授乳口縁部１２２ｂの形状は、左上側固定部１４ｂの下側であって左脇下から仮想中心線ＣＬの近傍に設けられた下側固定部１５の位置に向かって左襟刳り端部１３ｂ側に膨出するように湾曲して伸びた後、左襟刳り端部１３ｂと離間する側に膨出するように湾曲して伸びている点である。
【００３７】
授乳口覆い部１２２の形状が上述のようにされているので、授乳服本体１１との関係で説明すると、授乳口覆い部１２２の左側授乳口縁部１２２ｂは、左上側固定部１４ａに近い方は左襟刳り端部１３ｂ側に膨出するように湾曲しており、下側固定部１５に近い方は、左襟刳り端部１３ｂと離間する側に膨出するように湾曲している。
従って、授乳服本体１１に授乳口覆い部１２２を設けた授乳服１０は、授乳口覆い部１２２の下側固定部１５が授乳服本体１１の仮想中心線ＣＬから外側の層である右前身頃１６側寄りに設けられている場合において、使用者の動きに際に、下側固定部１５に近い方は、左襟刳り端部１３ｂと離間する側に膨出するように湾曲しているので、授乳口覆い部１２２がずれて授乳用ブラジャー１８や乳房が露出し易くなるのを更に低減することが可能となる。
【００３８】
また、本実施形態の授乳口覆い部１２（または、乳口覆い部１２２）は、上側両端固定部である右上側固定部１４ａと左上側固定部１４ｂ及び、下端固定部である下側固定部１５は、授乳服本体１１に縫いついけて固定されるようにしたり、スナップ、ボタンや面ファスナー等で着脱可能に固定されていても良い。
このように、着脱可能に固定されている場合は、例えば、授乳期を過ぎた場合に、この授乳口覆い部１２（または、授乳口覆い部１２２）を取外して、授乳服本体１１のみを活用することができる。そして、例えば、このように授乳口覆い部１２（または、授乳口覆い部１２２）を取外した授乳服本体１１は、別の上衣に重ね着して、通常の衣服として活用することもできる。
【００３９】
また、授乳口覆い部１２（または、授乳口覆い部１２２）は、ここでは、上縁部１２ｃが直線状のものとしているが、例えば、上縁部１２ｃを使用者の首部の近傍に設けるようにしてもよく、例えば丸首状やタートルネック状やハイネック状とされていてもよい。
【００４０】
（第２の実施形態）
図５及び図６は、本発明の第２の実施形態に係る授乳服２０及び授乳口覆い部２２を示す概略正面図である。
第１の実施形態の授乳服１０と同一の符号を付した箇所は共通の構成であるから、詳細な説明を省略し、異なる点を中心に説明する。
第２の実施形態に係る授乳服２０が、第１の実施形態に係る授乳服１０と異なる点は、主に、授乳服本体２１の前身頃等の外形形状と授乳口覆い部２２の外形形状である。
【００４１】
まず、第２の実施形態に係る授乳服２０は、その授乳服本体２１の形状が授乳服２０の仮想中心線ＣＬで左右に開閉が可能とされている点である。
つまり、第１の実施形態に係る授乳服本体１０は、上述したように、仮想中心線ＣＬを含む領域において、外側の層である右前身頃１６と内側の層である左前身頃１７の一部が重なるように構成されたカシュクール状とされていた。
これに対し、第２の実施形態に係る授乳服本体２０は、右前身頃２６と左前身頃２７とで授乳服本体２０の前身頃が構成されており、仮想中心線ＣＬの領域において、右前身頃２６と左前身頃２７の一部が重なるようにされ、その重なった部分にボタンやフック、面ファスナー、ファスナー等の合わせ手段を設けて左右に開閉可能とされている。
そして、襟刳り部１３は、使用者の乳房近傍まで開口されており、伸縮性のある材料で形成されている点は、第１の実施形態と同様となっている。また、右襟刳り部１３ａと左襟刳り部１３ｂとの突合せ部１３ｃは、授乳服２０の前身頃の仮想中心線ＣＬ上に配置されるようになっている。
【００４２】
そして、第１の実施形態と同様に、実施形態の授乳服２０の授乳服本体２１の内側には、授乳口覆い部２２が設けられている。
この授乳口覆い部２２は、図６でその概略外形形状を示すように、略逆三角形状とされている。つまり、授乳口覆い部２２は、直線状に伸びる上縁部２２ｃと、上縁部２２ｃの両端には、授乳服本体２０の両脇付近で固定される為の上側両端固定部である右上側固定部２４ａと左上側固定部２４ｂとが設けられている。この右上側固定部２４ａ及び左上側固定部２４ｂは、授乳服本体２１の両脇付近で固定できるように、その外形形状は略アームホールに沿った形状となっていてもよい。そして、授乳口覆い部２２は、右上側固定部２４ａと左上側固定部２４ｂから下側固定部２５ｂに向かって、斜め下側方向に直線的に延びる右側授乳口縁部２２ａと左側授乳口縁部２２ｂを有している。そして、この授乳口覆い部２２は、伸縮可能な材料で形成されている点は、第１の実施形態と同様である。
【００４３】
また、右上側固定部２４ａ、左上側固定部２４ｂ及び下側固定部２５は、それぞれ授乳服本体２１と着脱可能に固定されており、例えば、スナップボタンやボタン、面ファスナー等の固定手段により固定されている。この場合は、例えば、授乳口覆い部２２の授乳服本体２１と接する面の右上側固定部２４ａ、左上側固定部２４ｂ及び下側固定部２５の位置に、固定手段としてのスナップボタンの雄側や、ボタンホール、面ファスナーの雄側等を設ける。そして、授乳服本体２１の内側であって、授乳口覆い部と対面する面において授乳口覆い部２２の各固定手段に対応する位置に、各固定手段の受け側としてのスナップボタンの雌側や、ボタン、面ファスナーの雌側等を設けるようにしている。
従って、この授乳口覆い部２２は、授乳服本体２１に対して着脱可能とされており、授乳に際し、授乳口覆い部２２が汚れてしまった場合など、容易に交換が可能である。
【００４４】
そして、この授乳口覆い部２２は、襟刳り部１３から一部を露出するように配置されている。つまり、襟刳り部１３の右襟刳り部１３ａと左襟刳り部１３ｂの間に授乳口覆い部２２の上縁部２２ｃの一部が配置されるようになっており、突合せ部１３ｃを頂点として略逆三角形状に授乳口覆い部２２の一部が露出するようになっている。そして、この突合せ部１３ｃを頂点として、右襟刳り部１３ａと左襟刳り部１３ｂとの成す角度Ｂは、授乳口覆い部２２の下側固定部２５を頂点として、右側授乳口縁部２２ａと左側授乳口縁部２２ｂとの成す角度Ａより小さい関係となっている。
つまり、襟刳り部１３の突合せ部１３ｃを頂点とする略逆三角形状を有する開口形状より、授乳口覆い部２２の下側固定部２５から授乳服本体２１の両脇に設けられた右上側固定部２４ａ及び左上側固定部２４ｂとを繋いだ下側固定部２５を頂点とする略逆三角形状を有する外形形状は広がった形状となっている。
【００４５】
そして、図５に戻って、この授乳口覆い部２２と授乳服本体２１との関係を説明する。
授乳口覆い部２２の右側授乳口部２２ａは、右脇付近の右上側固定部２４ａから下側固定部２５に向かって斜め下方向に伸びるように形成されており、右襟刳り部１３ａに略沿うように形成されている。また、左側授乳口縁部２２ｂも同様に、左脇付近の左上側固定部２４ｂから下側固定部２５に向かって斜め下方向に伸びるように形成されており、左襟刳り部１３ｂに略沿うように形成されている。
そして、下側固定部１５は、授乳服２０の仮想中心線ＣＬを含む中央領域に配置されるようになっている。ここでは、授乳服本体２１の右前身頃２６と左前身頃２７とを合わせて上述のように合わせ手段を設けた場合に、下側に配置される左前身頃２７と固定されるようになっている。そして、その位置は、授乳服本体の仮想中心線ＣＬの付近に配置されている。そして、この授乳服２０の授乳口覆い部２２はこの仮想中心線ＣＬで左右の形状を略対称とされている。
【００４６】
この授乳服２０は、仮想中心線ＣＬで、左右をほぼ対象の形状とされている。これは、この授乳服本体２１の右襟刳り部１３ａまたは左襟刳り部１３ｂとの広げ易さは、両方の側であまり変わらないようになっている。そして、使用者が授乳する際に、右襟刳り部１３ａまたは左襟刳り部１３ｂを引張るようにして広げ、授乳用ブラジャー１８または乳房を露出するように、授乳用ブラジャー１８のアンダーバスト部分または乳房の下側付近まで、この右襟刳り部１３ａまたは左襟刳り部１３ｂを下げる。そして、この場合、授乳口覆い部２２の右側授乳口縁部２２ａまたは左側授乳口縁部２２ｂとは、それぞれ、授乳服本体２１の襟刳り部１３のそれぞれの右襟刳り部１３ａまたは左襟刳り部１３ｂに略沿うように形成されており、使用者のそれぞれの右または左の乳房に対応する領域を有するようになっている。
このため、使用者の動きに際し、襟刳り部１３から授乳用ブラジャー１８のカップ部１８ｂや乳房が容易に露出しないようになっている。また、襟刳り部１３を開いて、授乳用ブラジャー１８あるいは乳房を露出しやすいようにもなっている。
【００４７】
また、授乳服本体２１が、授乳服２０の前身頃側の仮想中心線ＣＬで左右に開閉可能となっている場合は、使用者は、この合わせ手段を開閉することで、襟刳り部１３を調整できるようになっている。また、前身頃側で開閉可能となっているので、例えば、授乳している際であっても、容易に着脱することが可能となる。
【００４８】
授乳口覆い部２２は、ここでは略逆三角形状のものを例に挙げて説明しているが、例えば、上縁部２２ｃが使用者の首部近傍まで配置されるような丸首状や、ハイネック状、タートル状となるように設けられていてもよい。そして、このような授乳口覆い部２２の形状が種々用意されていれば、使用者の好みによって、使用者が容易に交換することができる。  
【００４９】
また、授乳服本体２１の襟刳り部１３の形状は、ここでは、突合せ部１３ｃを頂点とする略逆三角形状の開口とされる所謂Ｖ字のネックの形状を例を挙げて説明しているが、例えば、突合せ部１３ｃを曲線状に配置されるような所謂Ｕ字のネックの形状とすることもできる。ここで、授乳服本体２０は、前身頃の仮想中心線ＣＬで左右に開閉可能となっている。従って、例えば、授乳時においては、Ｕ字ネックの突合せ部１３ｃの付近に配置されている合わせ手段である例えば、第一ボタン等を外して、襟刳りを拡げる。すると、拡げられた襟は、略Ｖ字の形状となり、授乳口覆い部２２の右側授乳口縁部２２ａと左側授乳口縁部２２ｂとは、この拡げられた襟刳りと略沿うようになる。従って、授乳に際し、授乳用ブラジャー１８や乳房等を露出し易くできるようになる。
【００５０】
ところで、本発明は、上述の実施形態に限定されるものではなく、特許請求の範囲を逸脱しない範囲で種々の変更を行うことができる。例えば、授乳服の授乳服本体の前身頃が、右前身頃と左前身頃とから構成されたものを示しているが、例えば、右前身頃と左前身頃を合わせて１つのものであってもよい。この場合は、襟刳り部は使用者の胸部付近である乳房の付近まで開口されるように形成されていれば良い。また、上述の第２の実施形態と同様な形状の授乳口覆い部２２を用いて、その授乳服本体の前身頃の内側である使用者側に配置するようにすればよい。そして、授乳口覆い部２２の一部がその襟刳り部から露出するように配置されるようになっていればよい。そして、授乳服本体の両脇付近で授乳口覆い部２２の上縁部を固定する上側両端固定部を形成し、両方の乳房の間付近に位置される襟刳り部の下側付近であって、授乳服の略中心領域に下側固定部を設けるように構成することもできる。また、上記実施形態の各構成は、その一部を省略し、あるいは上記と異なるように任意に組み合わせることもできる。
【図面の簡単な説明】
【００５１】
【図１】本発明の第１の実施形態に係る授乳服の概略正面図である。
【図２】本発明の第１の実施形態に係る授乳服の授乳口覆い部の概略正面図である。
【図３】本発明の第１の実施形態に係る授乳服を着用して授乳する際の使用状態を説明するための概略説明図である。
【図４】本発明の第１の実施形態に係る授乳服の授乳口覆い部の変形例を示す概略正面図である。
【図５】本発明の第２の実施形態に係る授乳服の概略正面図である。
【図６】本発明の第２の実施形態に係る授乳服の授乳口覆い部の概略正面図である。
【符号の説明】
【００５２】
１０，２０・・・授乳服、１１，２１・・・授乳服本体、１２，２２，１２２・・・授乳口覆い部、１２ａ，２２ａ・・・右側授乳口縁部、１２ｂ，２２ｂ，１２２ｂ・・・左側授乳口縁部、１２ｃ，２２ｃ・・・上縁部、１３・・・襟刳り部、１３ａ・・・右襟刳り部、１３ｂ・・・左襟刳り部、１３ｃ・・・突合せ部、１４ａ，２４ａ・・・右上側固定部、１４ｂ，２４ｂ・・・左上側固定部、１５，２５・・・下側固定部、１６，２６・・・右前身頃、１６ａ・・・右前身頃合わせ端部、１７・・・左前身頃、１７ｂ・・・左前身頃合わせ端部、１８・・・授乳用ブラジャー、１８ａ・・・上部、１８ｂ・・・カップ部
【図１】
2008214776.tif 000003
【図２】
2008214776.tif 000004
【図３】
2008214776.tif 000005
【図４】
2008214776.tif 000006
【図５】
2008214776.tif 000007
【図６】
2008214776.tif 000008